(57)【要約】【課題】繰り返し使用しても、滑らかに画像シートをスライドさせることができるとともに、画像シートに描かれた絵や文字を規則的かつ正確に表示することができるスライド式画像表示体を提供する。【解決手段】万線シート２と画像シート３と、連結シート５と上面シート６と、画像シート３のスライドを案内する第一ガイド片及び第二ガイド片を有する背面シート４とを有し、万線シート２は、連結シート５を折り曲げることにより背面シート４に重ね合わされた画像シート３を覆うように、第一ガイド片及び第二ガイド片に接着する。【選択図】図１
0003180190.tif 000002
【実用新案登録請求の範囲】
【請求項１】
透明スリット部と当該透明スリット部の横幅の整数倍の幅を持つ不透明部とが平行して交互に複数形成された万線シートと、当該透明スリット部及び当該不透明部の横幅を基準に絵又は文字が分割して描かれた画像シートとを有し、当該画像シートをスライドさせると当該透明スリット部を通して複数の絵又は文字が規則的に表示されるスライド式画像表示体であって、
前記画像シートと第一折目を介して設けられる連結シートと、
前記連結シートと第二折目を介して設けられ、当該第二折目に沿って折り曲げたときに前記連結シートに重なり合う上面シートと、
前記上面シートと第三折目を介して設けられ、前記第二折目に沿って前記連結シートを折り曲げたときに前記画像シートに重なり合い、前記万線シートに対して前記画像シートをスライド可能に支持する背面シートと、
前記画像シートのスライド方向に沿って前記背面シートの一辺に第四折目を介して設けられ、当該第四折目に沿って折り曲げて前記背面シートに固着させることにより、前記画像シートのスライドを案内する第一ガイド片と、
前記画像シートのスライド方向に沿って前記背面シートの一辺に第五折目を介して設けられ、当該第五折目に沿って折り曲げて前記背面シートに固着させることにより、前記画像シートのスライドを案内する第二ガイド片と、
を有し、
前記万線シートは、前記第二折目に沿って前記連結シートを折り曲げることにより前記背面シートに重ね合わされた前記画像シートを覆うように、前記背面シートに固着された前記第一ガイド片及び前記第二ガイド片に接着してあり、
前記第三折目は、前記第二折目に沿って前記連結シートを折り曲げたときに、前記画像シートに接する位置に形成されるとともに、前記第二折目は前記第一折目に対して垂直方向に形成されることを特徴とするスライド式画像表示体。
【請求項２】
前記画像シートと、前記背面シートと、前記連結シートと、前記上面シートと、前記第一ガイド片と、前記第二ガイド片とは、１枚のシートから切り出された連続した平面体であることを特徴とする請求項１記載のスライド式画像表示体。
【請求項３】
前記万線シートには、シルクスクリーン印刷又はオフセット印刷により絵又は文字が描かれていることを特徴とする請求項１又は請求項２記載のスライド式画像表示体。
【請求項４】
透明スリット部と当該透明スリット部の横幅の整数倍の幅を持つ不透明部とが平行して交互に複数形成された万線シートと、当該透明スリット部及び当該不透明部の横幅を基準に絵又は文字が分割して描かれた画像シートとを有し、当該画像シートをスライドさせると当該透明スリット部を通して複数の絵又は文字が規則的に表示されるスライド式画像表示体であって、
前記画像シートと第一折目を介して設けられる第一操作シートと、
前記第一操作シートと第二折目を介して設けられ、当該第二折目に沿って折り曲げたときに前記第一操作シートに重なり合う第二操作シートと、
前記第二操作シートと第三折目を介して設けられ、前記第二折目に沿って前記第一操作シートを折り曲げたときに前記画像シートに重なり合い、前記万線シートに対して前記画像シートをスライド可能に支持する背面シートと、
前記画像シートのスライド方向に沿って前記背面シートの一辺に第四折目を介して設けられ、当該第四折目に沿って折り曲げて前記背面シートに固着させることにより、前記画像シートのスライドを案内する第一ガイド片と、
前記画像シートのスライド方向に沿って前記背面シートの一辺に第五折目を介して設けられ、当該第五折目に沿って折り曲げて前記背面シートに固着させることにより、前記画像シートのスライドを案内する第二ガイド片と、
を有し、
前記万線シートは、前記第二折目に沿って前記第一操作シートを折り曲げることにより前記背面シートに重ね合わされた前記画像シートを覆うように、前記背面シートに固着された前記第一ガイド片及び前記第二ガイド片に接着してあり、
前記第一折目と前記第二折目と前記第三折目とは相互に平行に形成され、前記第一操作シートのスライド方向の寸法を前記第二操作シートのスライド方向の寸法よりも短く形成することにより、前記第二折目に沿って前記第一操作シートを折り曲げたときに、前記第一折目と前記第三折目とが重なり合わないことを特徴とするスライド式画像表示体。
【請求項５】
前記画像シートと、前記背面シートと、前記第一操作シートと、前記第二操作シートと、前記第一ガイド片と、前記第二ガイド片とは、１枚のシートから切り出された連続した平面体であることを特徴とする請求項４記載のスライド式画像表示体。
【請求項６】
前記背面シートの裏面には、前記第四折目又は前記第五折目に沿って設けられた折目を中心に開閉自在の見開きシートが固着されることを特徴とする請求項４又は請求項５記載のスライド式画像表示体
【考案の詳細な説明】
【技術分野】
【０００１】
本考案は、絵又は文字が分割して描かれた画像シートを万線シートに対してスライドさせることにより、万線シートを通して視認される絵又は文字を規則的に変化させ、あたかも動画のような画像を現出させるスライド式画像表示体に関する。
【背景技術】
【０００２】
従来から、透明スリット部と不透明部とが交互に形成された万線シートに対して、絵や文字が分割して描かれた画像シートをスライドさせることにより、万線シートを通して視認される絵や文字を規則的に変化させ、あたかも動画のような画像を現出させる技術が知られている（例えば、特許文献１参照）。
【０００３】
従来のスライド式画像表示体、たとえば、特許文献１記載の発明においては、絵が分割して描かれた絵シートの下面側に基板が設けられており、この基板には接着片を介して操作部が折り曲げ操作自在に接着されている。この操作部は絵シートの端部にも接合されており、操作部を折り曲げ操作することにより、絵シートを基板上でスライドさせることができるようになっている。絵シートの上面側にはフィルムが装着されており、絵シートに描かれた絵はフィルムの透明スリットを通して視認されるようになっている。そのため、操作部を折り曲げ操作することにより、フィルムを通して視認される絵が規則的に変化し、あたかも動画のような画像を見ることができる。
【先行技術文献】
【特許文献】
【０００４】
【特許文献１】特開２０１０−２２８３４０号公報
【考案の概要】
【考案が解決しようとする課題】
【０００５】
万線シートを通して視認される絵や文字を正確に表示するためには、万線シートのスリットに対して垂直に画像シートをスライドさせる必要があるところ、特許文献１記載のスライド式画像表示体など、従来のスライド式画像表示体には、画像シートのスライドを案内するガイドが設けられていなかった。そのため、繰り返し使用しているうちに折り曲げ操作部等が損耗してしまうと、画像シートのスライド方向がずれてしまい、絵や文字が正確に表示されないおそれがあった。
【０００６】
また、折り曲げ操作により画像シートをスライドさせようとする場合、折り曲げ操作を滑らかに行うことができないと操作性が低下するうえ、折り曲げ操作による力が特定の部分に集中して当該部分が損耗しやすく、画像シートのスライド方向がずれてしまう原因となりかねなかった。
【０００７】
加えて、従来のスライド式画像表示体は、複数の構成部材を別個に切り出し、その後、これらの部材を接着することにより作製していたため、作製に手間と時間がかかり、部材の切り出し方によっては材料となるシートを無駄に使用することがあった。例えば、特許文献１記載の発明は、絵シート、絵シートをスライドさせる長方形状の操作部、絵シートを支持する基板、この基板に対して操作部を揺動自在に接着するための接着片、万線フィルムが接着されるシート等が別個に切り出され、その後、これらの部材を接着することにより作製されている。このように複数の部材を別個に作成するのは手間がかかり、部材の切り出し方によっては材料となるシートの切れ端が多くなり、材料を無駄に使用することがあった。また、その後に、これらの部材を正確に位置合わせしたうえで接着する作業は面倒で時間がかかるものであった。仮に、これらの部材を正確に位置合わせしたうえで接着しないと、画像シートのスライド方向がずれてしまい、万線シートを通して視認される絵や文字が正確に表示されないおそれがあった。
【０００８】
更に、この種のスライド式画像表示体に用いられる従来の万線シートは、透明スリット部と不透明部とが交互に形成されただけの単調なデザインであった。そのため、万線シートを介して表示される画像に奥行きが感じられず、舞台演出効果が弱いために興趣性に欠け、飽きやすいものであった。また、特許文献１記載の発明のように、絵シートに描かれた絵が外部に表示されたままの状態では、万線フィルムを通して視認される画像の内容が予測でき、面白味に欠けるものであった。
【０００９】
そこで、本考案は、このような従来のスライド式画像表示体が有していた問題点を解決しようとするものであり、繰り返し使用しても、滑らかに画像シートをスライドさせることができるとともに、画像シートに描かれた絵や文字を規則的かつ正確に表示することができるスライド式画像表示体を提供することを目的とする。また、本考案は、材料となるシートを無駄に使用することなく、短時間で正確に作製することができるスライド式画像表示体を提供することを目的とする。また、本考案は、
万線シートを介して表示される画像の表現性を向上させたスライド式画像表示体を提供することを目的とする。
【課題を解決するための手段】
【００１０】
本考案の第１の態様は、透明スリット部と当該透明スリット部の横幅の整数倍の幅を持つ不透明部とが平行して交互に複数形成された万線シートと、当該透明スリット部及び当該不透明部の横幅を基準に絵又は文字が分割して描かれた画像シートとを有し、当該画像シートをスライドさせると当該透明スリット部を通して複数の絵又は文字が規則的に表示されるスライド式画像表示体であって、
前記画像シートと第一折目を介して設けられる連結シートと、
前記連結シートと第二折目を介して設けられ、当該第二折目に沿って折り曲げたときに前記連結シートに重なり合う上面シートと、
前記上面シートと第三折目を介して設けられ、前記第二折目に沿って前記連結シートを折り曲げたときに前記画像シートに重なり合い、前記万線シートに対して前記画像シートをスライド可能に支持する背面シートと、
前記画像シートのスライド方向に沿って前記背面シートの一辺に第四折目を介して設けられ、当該第四折目に沿って折り曲げて前記背面シートに固着させることにより、前記画像シートのスライドを案内する第一ガイド片と、
前記画像シートのスライド方向に沿って前記背面シートの一辺に第五折目を介して設けられ、当該第五折目に沿って折り曲げて前記背面シートに固着させることにより、前記画像シートのスライドを案内する第二ガイド片と、
を有し、
前記万線シートは、前記第二折目に沿って前記連結シートを折り曲げることにより前記背面シートに重ね合わされた前記画像シートを覆うように、前記背面シートに固着された前記第一ガイド片及び前記第二ガイド片に接着してあり、
前記第三折目は、前記第二折目に沿って前記連結シートを折り曲げたときに、前記画像シートに接する位置に形成されるとともに、前記第二折目は前記第一折目に対して垂直方向に形成されることを特徴とするスライド式画像表示体を提供する。
【００１１】
前記画像シートと、前記背面シートと、前記連結シートと、前記上面シートと、前記第一ガイド片と、前記第二ガイド片とは、１枚のシートから切り出された連続した平面体であることが好ましい。また、前記万線シートには、シルクスクリーン印刷又はオフセット印刷により絵又は文字が描かれていることが好ましい。
【００１２】
本考案の第２の態様は、透明スリット部と当該透明スリット部の横幅の整数倍の幅を持つ不透明部とが平行して交互に複数形成された万線シートと、当該透明スリット部及び当該不透明部の横幅を基準に絵又は文字が分割して描かれた画像シートとを有し、当該画像シートをスライドさせると当該透明スリット部を通して複数の絵又は文字が規則的に表示されるスライド式画像表示体であって、
前記画像シートと第一折目を介して設けられる第一操作シートと、
前記第一操作シートと第二折目を介して設けられ、当該第二折目に沿って折り曲げたときに前記第一操作シートに重なり合う第二操作シートと、
前記第二操作シートと第三折目を介して設けられ、前記第二折目に沿って前記第一操作シートを折り曲げたときに前記画像シートに重なり合い、前記万線シートに対して前記画像シートをスライド可能に支持する背面シートと、
前記画像シートのスライド方向に沿って前記背面シートの一辺に第四折目を介して設けられ、当該第四折目に沿って折り曲げて前記背面シートに固着させることにより、前記画像シートのスライドを案内する第一ガイド片と、
前記画像シートのスライド方向に沿って前記背面シートの一辺に第五折目を介して設けられ、当該第五折目に沿って折り曲げて前記背面シートに固着させることにより、前記画像シートのスライドを案内する第二ガイド片と、
を有し、
前記万線シートは、前記第二折目に沿って前記第一操作シートを折り曲げることにより前記背面シートに重ね合わされた前記画像シートを覆うように、前記背面シートに固着された前記第一ガイド片及び前記第二ガイド片に接着してあり、
前記第一折目と前記第二折目と前記第三折目とは相互に平行に形成され、前記第一操作シートのスライド方向の寸法を前記第二操作シートのスライド方向の寸法よりも短く形成することにより、前記第二折目に沿って前記第一操作シートを折り曲げたときに、前記第一折目と前記第三折目とが重なり合わないことを特徴とするスライド式画像表示体を提供する。
【００１３】
前記画像シートと、前記背面シートと、前記第一操作シートと、前記第二操作シートと、前記第一ガイド片と、前記第二ガイド片とは、１枚のシートから切り出された連続した平面体であることが好ましい。
【００１４】
前記万線シートには、シルクスクリーン印刷又はオフセット印刷により絵又は文字が描かれていることが好ましい。
【考案の効果】
【００１５】
本考案のスライド式画像表示体は上述したように構成されており、本考案のスライド式画像表示体によれば、繰り返し使用しても、滑らかに画像シートをスライドさせることができるとともに、画像シートに描かれた絵や文字を規則的かつ正確に表示することができる。さらに、万線シートを通して視認される画像の内容を予測させないことで、上面シートを開いて画像を見たときの驚きや面白味を増すことができる。
また、本考案のスライド式画像表示体によれば、材料となるシートを無駄に使用することなく、短時間で正確に作製することができる。また、本考案のスライド式画像表示体によれば、静止画と動画とを複合させた多様な表現が可能であり、画像に奥行きを持たせることができ、よって、万線シートを介して表示される画像の表現性を向上できる。
【図面の簡単な説明】
【００１６】
【図１】本考案の実施例１のスライド式画像表示体の模式図である。
【図２】本考案の実施例１のスライド式画像表示体の本体を示す平面図である。
【図３】本考案の実施例１のスライド式画像表示体の万線シートの平面図である。
【図４】本考案の実施例１のスライド式画像表示体の本体の組立方法の説明図である。
【図５】本考案の実施例１のスライド式画像表示体の本体に対して万線シートを接着した状態を示す組立状態説明図である。
【図６】本考案の実施例２のスライド式画像表示体の模式図である。
【図７】本考案の実施例２のスライド式画像表示体の本体を示す平面図である。
【図８】本考案の実施例２のスライド式画像表示体の本体の組立方法の説明図である。
【図９】本考案の実施例２のスライド式画像表示体の本体に対して万線シートを接着した状態を示す組立状態説明図である。
【図１０】本考案の実施例３のスライド式画像表示体の模式図である。
【図１１】本考案の実施例３のスライド式画像表示体の見開きシートの平面図である。
【考案を実施するための形態】
【００１７】
以下、本考案のスライド式画像表示体の一実施形態について、図面を参照し実施例を用いて具体的に説明するが、本考案はこれらに限定されるものではない。なお、各図とも、作図上、各部材の厚みは省略してある。
【実施例１】
【００１８】
(構成)
図１は、本考案の実施例１のスライド式画像表示体の模式図である。図２は、本考案の実施例１のスライド式画像表示体の本体を示す平面図である。また、図３は、本考案の実施例１のスライド式画像表示体の万線シートの平面図である。
【００１９】
本実施例１のスライド式画像表示体１は、この本体１０と万線シート２とにより構成されている。スライド式画像表示体１は、略長方形状の万線シート２と、絵が分割して描かれた長方形状の画像シート３と、万線シート２に対して画像シート３をスライド可能に支持する長方形状の背面シート４とを有する。画像シート３には、第一折目１１を介して長方形状の連結シート５が設けられており、この連結シート５には、第二折目１２を介して長方形状の上面シート６が設けられている。この上面シート６は第三折目１３を介して背面シート４に連結されている。
【００２０】
図１に示すように、連結シート５と上面シート６とによりスライド操作部７が構成されており、このスライド操作部７を把持し、図１の矢印で示すいずれかの方向に折り曲げると、背面シート４上で画像シート３がスライドするようになっている。第二折目１２に沿って連結シート５を折り曲げたときに、第一折目１１と第三折目１３とは重なり合わないように形成されているので、このスライド操作を滑らかに行うことができる。
【００２１】
図２に示すように、上面シート６は画像シート３のサイズよりも一回り大きく設定されている。したがって、上面シート６を第二折目１２に沿って折り曲げ、次いで、上面シート６を第三折目１３で折り曲げて画像シート３に重ね合わせると、上面シート６により画像シート３の全体が覆い隠されるようになっている。そのため、上面シート６を背面シート４に重ね合わせた状態、即ちスライド式画像表示体１を閉じた状態にすると、外側からは画像シート３に描かれた絵や文字を見ることができない。このような構成をとることにより、上面シート６を初めて開くまでは、万線シート２を通して視認される画像の内容を予測させないことができるので、上面シート６を開いて画像を見たときの驚きや面白味を増すことができる。
【００２２】
万線シート２には、透明スリット部と、この透明スリット部の横幅の整数倍の幅を持つ不透明部とが平行して交互に複数形成されている。画像シート３には、万線シート２の透明スリット部及び不透明部の横幅を基準にして、万線シート２に対し画像シート３を透明スリット方向と垂直な方向にずらした時に動画的に見えるように、絵が分割して描かれている。なお、本実施例では、画像シート３には、魚やタコの絵が分割して描かれているが、画像シート３に描かれるものは全くの自由であり、絵や文字の他、図形や記号を描くこともできる。これらの絵や文字等に彩色を施しても良く、万線シート２の不透明部２ｂを黒色以外のカラーで彩色しても良い。
【００２３】
この万線シート２の表面には、シルクスクリーン印刷により、岩礁及びヒトデの絵が描かれている。なお、万線シート２に描かれるものは全くの自由であり、その印刷方法もシルクスクリーン印刷やオフセット印刷の他、万線シート２の素材に合わせて様々な印刷方法を用いることができる。
【００２４】
このように、万線シート２に絵を描くことにより、万線シート２を通して視認される画像の表現性を向上させることができる。すなわち、画像シート３に描かれる絵等が奥行きをもって視認されるとともに、静止画として視認させたい絵等を万線シート２に描き、動画として視認させたい絵等を画像シート３に描くことにより、静止画と動画とを複合させた多様な表現が可能となる。本実施例によれば、万線シート２に描かれた岩礁やヒトデは、いわば静止画として視認され、画像シート３に描かれた魚やタコはいわば動画として視認されることになり、万線シート２を通して視認される画像の舞台演出効果を高めることができる。このように多様な表現が可能となるため、物語性や趣向性に富む演出を施すことができる。
【００２５】
(組立方法)
図２に示すとおり、本体１０は、画像シート３と、第一折目１１を介して設けられる連結シート５と、連結シート５と第二折目１２を介して設けられる上面シート６と、上面シート６と第三折目１３を介して設けられる背面シート４と、背面シート４の一辺に第四折目１４を介して設けられる第一ガイド片８ａと、背面シート４の一辺に第五折目１５を介して設けられる第二ガイド片８ｂと、背面シート４の一辺に第六折目１６を介して設けられる接着片９とにより構成されている。第一ガイド片８ａと第二ガイド片８ｂとは平行に配置されており、画像シート３のスライド方向を案内する機能を有している。なお、画像シート３の裏面には、上述の絵が分割して描かれているが、この絵は、図２の平面図においては裏面側に配置されているので図示されない。
【００２６】
本実施例においては、画像シート３、背面シート４、連結シート５、上面シート６、第一ガイド片８ａ、第二ガイド片８ｂ、及び接着片９のそれぞれは、１枚のシートから連続的に切り出されることにより形成されている。とくに、本実施例においては、第二折目１２は第一折目１１（第三折目１３）に対して垂直方向に形成されており、これにより、組立前の本体１０は、全体視して略長方形状の形状となっている。
【００２７】
図３に示すように、万線シート２には、透明スリット部と、この透明スリット部の横幅の整数倍の幅を持つ不透明部とが平行して交互に複数形成されている。
【００２８】
図４は、本考案の実施例１のスライド式画像表示体の本体の組立方法の説明図である。
【００２９】
図４に示すとおり、第一ガイド片８ａは、第四折目１４に沿って画像シート３のスライド面側に折り曲げられ、両面テープや接着剤等により、背面シート４に固着される。また、第二ガイド片８ｂは、第五折目１５に沿って画像シート３のスライド面側に折り曲げられ、両面テープや接着剤等により、背面シート４に固着される。かかる構成により、画像シート３のスライド移動は、第一ガイド片８ａ及び第二ガイド片８ｂにより案内されるようになっている。
【００３０】
また、接着片９は、第六折目１６に沿って画像シート３のスライド面側に折り曲げられ、両面テープや接着剤等により、背面シート４に固着される。なお、本実施例においては、接着片９を設けているが、これを設けないことも可能である。
【００３１】
連結シート５を第二折目１２に沿って折り曲げると、図４に示すとおり、連結シート５は上面シート６に重なり合い、画像シート３は背面シート４に重なり合い、画像シート３を挟み込むようにして第一スライド片８ａ及び第二スライド片８ｂが配置されるようになっている。本実施例では、連結シート５のスライド方向の寸法は、上面シート６のスライド方向の寸法よりも短く設定されている。かかる構成により、連結シート５を第二折目１２に沿って折り曲げたときに、第三折目１３が画像シート３に接する位置に配置され、第一折目１１と第三折目１３とが重なり合わないように形成されているので、スライド操作部７のスライド操作を滑らかに行うことができる。
【００３２】
図５は、本考案の実施例１のスライド式画像表示体の本体に対して万線シートを接着した状態を示す組立状態説明図である。
【００３３】
万線シート２は、図４に示すように、画像シート３を背面シート４に重ね合わせた後、図５に示すように、背面シート４に固着された第一ガイド片８ａ及び第二ガイド片８ｂ並びに接着片９に両面テープや接着剤等により接着される。万線シート２を第一ガイド片８ａ等に対して接着することにより、スライド式画像表示体１は完成する。
【００３４】
完成されたスライド式画像表示体１において、画像シート３は、万線シート２と背面シート４との間に挟み込まれた状態となる。しかし、万線シート２と背面シート４との間には、同一のシートから作られることにより画像シート３と同一の厚みを持つ第一ガイド片８ａと第二ガイド片８ｂと接着片９が接着剤等により接着されているので、万線シート２と背面シート４との間の隙間は、画像シート３の厚みよりも僅かに大きくなるため、画像シート３を滑らかにスライドさせることができる。
【００３５】
従来のスライド式画像表示体では複雑な形状のパーツを多数切り出す必要があり、材料となるシートの切れ端が多数出て材料の無駄が多くなり、また各パーツの切り出しや複数個所の位置を同時に合わせての複雑な組み合わせや張り合わせなど、製造工程も多かった。また、１枚で画像表示体本体を作製することは仕組み上困難であった。
【００３６】
しかし、本実施例によれば、本体１０を構成する画像シート３、背面シート４、連結シート５、上面シート６及び第一ガイド片８ａ、第二ガイド片８ｂ、接着片９は１枚のシートから連続して切り出されており、特に、全体視して略長方形状の構成であることから、シートの切れ端が少なく、材料を無駄にしてしまうということが少ない。たとえば、定型のＡ３用紙を型抜きして、図１に示される本体１０を切り出すこともでき、この場合には、シートの切れ端が少なく、材料を無駄にしてしまうということが少ない。また、部材を切り出す際に、第一折目１１、第二折目１２、第三折目１３、第四折目１４、第五折目１５となる部分に破線状の切り込み等を入れておくことにより、正確な位置に折目を簡単に形成することができる。
【００３７】
このように、１枚の平面体から構成されるとともに第一折目１１、第二折目１２、第三折目１３、第四折目１４、第五折目１５の形成された本体１０は、簡単かつ正確に組み立てることができる。すなわち、接着剤等を用いつつ、上述の手順により、折目に沿って各シートを折り曲げれば簡単に本体１０を組み立てることができる。正確な位置に第一折目１１、第二折目１２、第三折目１３、第四折目１４、第五折目１５が形成されているため、このようにして組立てられた各部材は正確な位置合わせがなされており、画像シート３のスライド方向が正確であり、万線シート２を通して視認される絵や文字を正確に表示することができる。
【００３８】
図１に示すとおり、スライド操作部７を把持し、図１の矢印で示すいずれかの方向に折り曲げることにより背面シート４に対する上面シート６の開度を変化させることにより、背面シート４上で画像シート３がスライドし、上述のとおり、万線シート２を通して視認される画像の変化を楽しむことができる。上述のとおり、第一折目１１と第三折目１３とは重なり合わないように形成されているので、スライド操作を滑らかに行うことができ、操作性が高く、スライド操作による力が特定の部分に集中することが少ないので損耗しにくく、繰り返し使用しても画像シートのスライド方向がずれてしまうということが少ない。加えて、画像シート３は、ガイド８ａ、８ｂにより案内されるため、画像シート３のスライド方向がずれてしまうことを防ぐことができ、長期間にわたって、絵や文字を正確に表示することができる。
【００３９】
（効果）
本実施例によれば、繰り返し使用しても、滑らかに画像シートをスライドさせることができるとともに、画像シートに描かれた絵や文字を規則的かつ正確に表示することができる。また、本考案のスライド式画像表示体によれば、材料となるシートを無駄に使用することなく、短時間で正確に作製することができる。また、本考案のスライド式画像表示体によれば、万線シートを介して表示される画像の表現性を向上できる。
【実施例２】
【００４０】
（構成）
図６は、本考案の実施例２のスライド式画像表示体の模式図である。図６に示すとおり、実施例２のスライド式画像表示体２１は、万線シート２２と、絵が分割して描かれた画像シート２３と、万線シート２２に対して画像シート２３をスライド可能に支持する背面シート２４とを有する。第一操作シート２５と第二操作シート２６とによりスライド操作部２７が構成されており、このスライド操作部２７を把持し、図６の矢印で示すいずれかの方向に折り曲げると、背面シート２４上で画像シート２３がスライドするようになっている。
【００４１】
図７は、本考案の実施例２のスライド式画像表示体の本体を示す平面図である。図７に示すとおり、本体３０は、画像シート２３と、画像シート２３と第一折目３１を介して設けられる第一操作シート２５と、第一操作シート２５と第二折目３２を介して設けられ、第二折目３２に沿って折り曲げたときに第一操作シート２５に重なり合う第二操作シート２６と、第二操作シート２６と第三折目３３を介して設けられ、第二折目３２に沿って第一操作シート２５を折り曲げたときに画像シート２３に重なり合い、万線シート２２に対して画像シート２３をスライド可能に支持する背面シート２４と、画像シート２３のスライド方向に沿って背面シート２４の一辺に第四折目３４を介して設けられる第一ガイド片２８ａと、画像シート２３のスライド方向に沿って背面シート２４の一辺に第五折目３５を介して設けられる第二ガイド片２８ｂと、背面シート２４の一辺に第六折目３６を介して設けられる接着片２９とにより構成される。なお、接着片２９は設けなくても良い。
【００４２】
本実施例によれば、本体３０を構成する画像シート２３、背面シート２４、第一操作シート２５、第二操作シート２６、第一ガイド片２８ａ、第二ガイド片２８ｂ、及び接着片２９は１枚のシートから切り出された連続した平面体となっている。なお、画像シート２３の裏面には、上述の絵が分割して描かれているが、この絵は、図７においては裏面側に配置されているので図示されない。
【００４３】
第一折目３１と第二折目３２と第三折目３３とは相互に平行に形成され、第一操作シート２５のスライド方向の寸法を第二操作シート２６のスライド方向の寸法よりも短く形成することにより、図６に示すとおり、第二折目３２に沿って第一操作シート２５を折り曲げたときに、第一折目３１と第三折目３３とが重なり合わないようになっている。従って、スライド操作を滑らかに行うことができる。
【００４４】
上述した以外の万線シート２２の構成及び万線シート２２の表面に描かれた絵の構成並びに作用効果については、図１等に示す実施例１と同様であり、説明を省略する。また、画像シート２３の構成及び画像シート２３に分割して描かれた絵の構成並びに作用効果についても実施例１と同様であり、説明を省略する。
【００４５】
（組立方法）
つぎに、本体３０の組立方法を説明するが、基本的には、実施例１として示した本体１０の組立て方法と同様なので、簡潔に述べる。
【００４６】
図８は、本考案の実施例２のスライド式画像表示体の本体の組立方法の説明図である。図８に示すとおり、第一ガイド片２８ａは、第四折目３４に沿って折り曲げられ、背面シート２４に固着される。また、第二ガイド片２８ｂは、第五折目３５に沿って折り曲げられ、背面シート２４に固着される。画像シート２３のスライド移動は、背面シート２４に固着された第一ガイド片２８ａ及び第二ガイド片２８ｂにより案内されるようになっている。接着片２９は、第六折目３６に沿って折り曲げられ、背面シート２４に固着される。
【００４７】
第一操作シート２５を第二折目３２に沿って折り曲げると、図８に示すとおり、第一操作シート２５は第二操作シート２６に重なり合い、画像シート２３は背面シート２４に重なり合い、この画像シート２３を挟み込むようにして第一スライド片２８ａ及び第二スライド片２８ｂが配置されるようになっている。
【００４８】
図９は、本考案の実施例２のスライド式画像表示体の本体に対して万線シートを接着した状態を示す組立状態説明図である。万線シート２２は、図９に示すように、画像シート２３を背面シート２４に重ね合わせた後、画像シート２３を覆うように、背面シート２４に固着された第一ガイド片２８ａ及び第二ガイド片２８ｂ並びに接着片２９に両面テープや接着剤等により接着される。万線シート２２を接着することにより、スライド式画像表示体２１は完成する。
【００４９】
（効果）
実施例２によれば、上述した実施例１と同様な効果を奏する。さらに、実施例２では、下記に示す効果を奏する。
【００５０】
本実施例によれば、本体３０は１枚のシートから連続して切り出されており、特に、全体視して縦長の略長方形状の構成であることから、シートの切れ端が少なく、材料を無駄にしてしまうということが少ない。たとえば、ロール紙を型抜きして、図７に示される本体３０を切り出すこともでき、この場合には、シートの切れ端が少なく、材料を無駄にしてしまうということが少ない。また、部材を切り出す際に、折目となる部分に破線状の切り込み等を入れておくことにより、正確な位置に折目を簡単に形成することができる。
【００５１】
このように、実施例２において、１枚の平面体から構成されるとともに、あらかじめ第一折目３１等の形成された本体３０は、実施例１の本体１０と同様、簡単に組み立てることができる。このようにして組立てられた各部材は正確な位置合わせがなされており、画像シート２３のスライド方向が正確で、万線シート２２を通して視認される絵や文字を正確に表示することができる点も、実施例１と同様である。
【実施例３】
【００５２】
図１０は、本考案の実施例３のスライド式画像表示体の模式図である。図１１は、本考案の実施例３のスライド式画像表示体の見開きシートの平面図である。図１０に示す実施例３のスライド式画像表示体４１は、図６に示す実施例２のスライド式画像表示体２１に対して、見開きシート４２を固着したものである。図１０及び図１１に示すとおり、見開きシート４２は、画像シート２３よりも一回りサイズの大きい開閉面４２ａと、開閉面４２ａと谷折りの折目４３を介して設けられる固着面４２ｂとを有しており、この折目４３を中心に開閉自在となっている。
【００５３】
見開きシート４２の固着面４２ｂは、折目４３が第四折目３４に沿って平行に配置されるようにして、背面シート２４の裏面に接着剤等で固着される。それゆえ、見開きシート４２は、折目４３を中心に開閉自在となっている。この見開きシート４２を閉じると、画像シート２３よりも一回りサイズの大きい開閉面４２ａが画像シート２３や万線シート２２を覆うことになるので、見開きシート４２を閉じた状態にすると、外側からは万線シート２２や画像シート２３に描かれた絵や文字を見ることができない。また、実施例３は、実施例２のスライド式画像表示体２１に見開きシート４２を固着したものであるので、上述した実施例２で述べた作用効果をも奏する。
【００５４】
なお、本考案は、上記実施例１〜３で述べた実施の形態に限定されず、その考案の趣旨を逸脱しない範囲で種々と変形実施が可能である。
【符号の説明】
【００５５】
１  スライド式画像表示体（実施例１）
２  万線シート
３  画像シート
４  背面シート
５  連結シート
６  上面シート
７  スライド操作部
８ａ  第一ガイド片
８ｂ  第二ガイド片
９  接着片
１０  本体
１１  第一折目
１２  第二折目
１３  第三折目
１４  第四折目
１５  第五折目
１６  第六折目
２１  スライド式画像表示体（実施例２）
２２  万線シート
２３  画像シート
２４  背面シート
２５  第一操作シート
２６  第二操作シート
２７  スライド操作部
２８ａ  第一ガイド片
２８ｂ  第二ガイド片  
２９  接着片
３０  本体
３１  第一折目
３２  第二折目
３３  第三折目
３４  第四折目
３５  第五折目
３６  第六折目
４１  スライド式画像表示体（実施例３）
４２  見開きシート
４２ａ  開閉面
４２ｂ  固着面
４３  折目
【図１】
0003180190.tif 000003
【図２】
0003180190.tif 000004
【図３】
0003180190.tif 000005
【図４】
0003180190.tif 000006
【図５】
0003180190.tif 000007
【図６】
0003180190.tif 000008
【図７】
0003180190.tif 000009
【図８】
0003180190.tif 000010
【図９】
0003180190.tif 000011
【図１０】
0003180190.tif 000012
【図１１】
0003180190.tif 000013